(57)【要約】【目的】本発明は、支線アンカーの敷設が容易で、抜脱がなく、且つその構成が簡易な支柱用の支線アンカー、及び支柱用の支線アンカーの敷設方法を提供することを目的とする。【解決手段】ネット等を吊り張りする支柱のうち端部の支柱に設けられた支線を連結し、先端側を残して地中に埋設する支線棒と、該支線棒の後端側に取り付け、支線棒の地中からの抜脱を阻止する抵抗板から構成された支柱用の支線アンカーにおいて、前記抵抗板が、地中に穿孔する孔の径に対応した同径の略円形状に形成され、且つ前記支線棒が、埋設する孔の穿孔深さに応じて長尺状で複数本連結可能に構成されている。【選択図】図１
2014139394.tif 000002
【特許請求の範囲】
【請求項１】
ネット等を吊り張りする支柱のうち端部の支柱に設けられた支線を連結する先端側を残して地中に埋設する支線棒と、該支線棒の後端側に取り付け支線棒の地中からの抜脱を阻止する抵抗板から構成された支柱用の支線アンカーにおいて、前記抵抗板が地中に穿孔する孔の径に対応した同径の略円形状に形成され、且つ前記支線棒が埋設する孔の穿孔深さに応じて長尺状で複数本連結可能に構成されていることを特徴とする支柱用の支線アンカー。
【請求項２】
ネット等を吊り張りする端部の支柱を補強すべく、地中に孔を穿孔し、該孔の底部分に抵抗板を設置した後、前記孔を埋設し抵抗板に後端側を取り付け、先端側を地中より突出した支線棒に支柱に設けられた支線を連結する支柱用の支線アンカーの敷設方法において、前記孔を支柱の大きさに応じた深さで円筒型状に穿孔し、前記抵抗板を孔の径に対応して略円形状に形成し孔の底部分に位置させるとともに、前記支線棒を孔の深さに応じて長さ調整することを特徴とする支柱用の支線アンカーの敷設方法。
【発明の詳細な説明】
【技術分野】
【０００１】本発明は、防球用のネット、又は電線用に用いる端末の支柱の倒壊、傾斜を阻止し、安定的に保持する支柱用の支線アンカー、及び支柱用の支線アンカーの敷設方法に関する。
【背景技術】
【０００２】従来、支柱を支える支線アンカーは先端側を残して支柱の近傍で地中に埋設し、前記支線アンカーの先端側に支柱に設けた支線を連結することで支柱を支える。【０００３】上記従来の支線アンカーの基本構成は、地中の深い部分に埋設し抜け止め防止用として長尺矩形状に形成された抵抗板と、該抵抗板に他端側を直交状態で固定し、一端側を地中より突出し支線に連結した支線棒から構成されている。【０００４】上記支線アンカーを敷設する方法は、穿孔した孔の底部分でガイドパイプを地中に打撃することで、ガイドパイプに連結した抵抗板を地中の所要位置に進入させた後、該抵抗板に後端側を係合した支線棒を抵抗板の表面に対し垂直方向に回転して埋設し、そして支線棒の先端側に支柱に設けられた支線を連結し、ガイドパイプを抜き取って支線アンカーの敷設を完了する。【０００５】また、別の支線アンカーの敷設方法としてドリルで穿孔し、該孔を拡大した後、抵抗板を底部分に設置し土を埋設し支線棒の先端側に支線を連結することで支線アンカーの敷設を完了する。
【発明が解決しようとする課題】
【０００６】上記従来の支線アンカーは、打撃により抵抗板を地中の所要の位置に設置する必要があり、その作業が煩雑である。
【０００７】また、支線棒を抵抗板の表面に対し略直角に回転させるため、又は抵抗板の形状が矩形状で幅広であるために、幅の広い孔を穿孔する必要があり、重機で掘削しなければならない。
【０００８】また、広い孔を穿孔した場合は、支線アンカーを埋設した後の残土処理の問題があった。
【０００９】また、支線棒の長さが一定であるために、抵抗板の地中への設置は支柱にかかるネット等の張力の大きさに関わらず同一の深さで地中に設置するために、抵抗板を大きくして地耐力を向上する必要があった。
【００１０】そこで、本発明は、支線アンカーの構成が簡易で、且つ支線アンカーの敷設が容易で、地中よりの抜脱がない支柱用の支線アンカー、及び支柱用の支線アンカーの敷設方法を提供することを課題とする。
【課題を解決するための手段】
【００１１】本発明は、上記解決するための支柱用の支線アンカーは、請求項１に記載のように、ネット等を吊り張りする支柱のうち端部の支柱に設けられた支線を連結する先端側を残して地中に埋設する支線棒と、該支線棒の後端側に取り付け、支線棒の地中からの抜脱を阻止する抵抗板から構成された支柱用の支線アンカーにおいて、前記抵抗板が地中に穿孔する孔の径に対応した同径の略円形状に形成され、且つ前記支線棒が埋設する孔の穿孔深さに応じて長尺状で複数本連結可能に構成されていることを特徴とする。
【００１２】また、上記課題を解決するための支柱用の支線アンカーの敷設方法は、請求項２に記載のように、ネット等を吊り張りする端部の支柱を補強すべく、地中に孔を穿孔し、該孔の底部分に抵抗板を設置した後、前記孔を埋設し抵抗板に後端側を取り付け先端側を地中より突出した支線棒に支柱に設けられた支線を連結する支柱用の支線アンカーの敷設方法において、前記孔を支柱の大きさに応じた深さで円筒型状に穿孔し、前記抵抗板を孔の径に対応して略円形状に形成し、孔の底部分に位置させるとともに、前記支線棒を孔の深さに応じて長さ調整することを特徴とする。
【発明の作用及び効果】
【００１３】本発明の支柱用の支線アンカー、及び支柱用の支線アンカーの敷設方法の作用効果を説明する。
【００１４】先ず、請求項１に記載の支柱用の支線アンカーは、ネット等を吊り張りする支柱のうち張力の影響を受ける端部の支柱を支持すべく、該支柱に設けられた支線を連結する。
【００１５】前記支線の連結は、地中に穿孔した孔に埋設した抵抗板に後端側を取り付け、先端側を地中より突出した支線棒からなる支線アンカーに連結する。
【００１６】この際、抵抗板は地中に穿孔する孔の径に対応した径を有する略円形状に形成されているために、そのまま穿孔した孔に挿入して底部分に抵抗板を密着した状態で設置でき、孔を拡径したりする煩雑な作業を必要としない。
【００１７】このため、支柱の大きさ、支柱にかかる張力に応じて抵抗板の径を拡大することで、自在に対応することができる。
【００１８】また、地中に穿孔する孔の深さに応じて、抵抗板に後端側を取り付けた支線棒を複数本連結することで所望の長さ、先端側を突出して埋設する長さに自在に対応することができる。
【００１９】上記と同様に、支柱の大きさ、張力の強さに応じて深く穿孔する必要があるが、支線棒は、長尺状で複数本連結可能に構成されているために、孔の深さに自在に対応することができる。
【００２０】このように、本発明の支線アンカーは、抵抗板が穿孔する孔の径に対応した径の略円形状に形成に形成されているために、孔の底部分に設置が容易である。
【００２１】また、支線棒が長尺状で複数本連結可能に構成されているために、穿孔する孔の深さに自在に対応することが容易である。
【００２２】しかも、支線アンカーの構成が簡易であり、故障がなく頻繁なメンテナンスを必要としない。
【００２３】また、抵抗板の径、支線棒の連結で、地耐力を自在に向上することができる。
【００２４】次に、請求項２に記載の支柱用の支線アンカーの敷設方法は、先ずネット等を吊り張りした支柱のうち端部の支柱の近傍で、地中に作業ドリルで円柱型状に孔を穿孔する。
【００２５】この際、支線アンカーの抵抗板は、ドリルで穿孔する孔の径に対応した径を有する円形状に形成された抵抗板を取り付けることで、前記孔に沿って挿入して孔の底部分に設置することで、固定状態で抵抗板を設置できる。
【００２６】また、抵抗板の径は、支柱の大きさ、支柱にかかる張力に対応して自在に変更できるので、用いる作業ドリルを変更するだけで該ドリル径に対応した径の抵抗板を設置することができる。
【００２７】このため、抵抗板の設置作業が容易で作業工程の削減、作業時間の短縮を図ることができる。
【００２８】次に、前記抵抗板に後端側を取り付けた支線棒の長さを穿孔した孔の深さに対応すべく、複数本を連結して調整し、該支線棒の先端側を地中より突出するように埋設する。
【００２９】このため、支柱の大きさ、支柱にかかる張力に対応して孔の深さを自在に調整できる。
【００３０】その後、前記支線棒の先端側の連結部に端部の支柱に設けられた支線を連結して支柱用の支線アンカーの敷設を完了する。
【００３１】このように、本発明の支柱用の支線アンカーの敷設方法は、支線アンカーの埋設作業の工程が少なく、作業時間の短縮を図ることができる。
【００３２】また、作業が安全に行え、作業の効率化を図ることができる。
【発明を実施するための形態】
【００３３】本発明の支柱用の支線アンカー、及び支柱用の支線アンカーの敷設方法の一実施例について説明する。
【００３４】図１は、本発明の支柱用の支線アンカーの一実施例を示す概略説明側面図であり、図２は、図１の抵抗板を示す概略説明平面図であり、図３は、支柱への支線アンカーの連結を示す概略説明側面図であり、図４、図５は、孔への支線アンカーの設置を示す概略説明側面図であり、図６は、抵抗板の他実施例を示す概略説明平面図であり、図７は、支柱用の支線アンカーの敷設方法を示すフローチャートである。
【００３５】本発明の支柱用の支線アンカー１は、支柱１の上部側に一端側を固定した支線１１の他端側を連結する連結部２を先端側に形成する棒状の支線棒３と、該支線棒３の後端側に取り付けられ、地中に埋設する抵抗板４から構成されている。
【００３６】前記支線棒３は、長尺状に形成され、通常は１本を用いるが、支柱１０の大きさ、支柱１０の張力に応じて、穿孔する孔１２の深さに応じて複数本を連結する。
【００３７】尚、支線棒３の連結は、両端側に連結部２の形成された連結用の支線棒３Ａを用いて連結するが、予め連結した支線棒３を用いてのよい。
【００３８】前記抵抗板４は、円形状又は円盤型状に形成され、中央部分に穿孔された孔５に前記支線棒３の後端側を挿通し、上下間で螺子６を螺合することで支線棒３に取り付ける。
【００３９】尚、抵抗板４の支線棒３への取り付けは、螺子６間で遊嵌状態とすることで、抵抗板４を少し傾斜した状態で孔１２にスムーズに挿入し、孔１２の底部分で水平にして孔１２に密着して孔１２に固定して設置することができる。
【００４０】また、上記抵抗板４の径は、作業ドリルで穿孔する孔１２の径と略同一に形成されているために、各作業ドリルに対応した径を有する抵抗板４を有する。
【００４１】上記のように、本発明の支柱用の支線アンカー１は構成され、次に、該支柱用の支線アンカー１を用いて防球用ネットに使用する支柱１０を支持する場合について説明する。
【００４２】先ず、防球用ネットを吊り張り支柱の端末の支柱１０の近傍を作業ドリルで円筒型の孔１２を穿孔する。
【００４３】次に、前記孔１２の底部分に向かって支線アンカー１の抵抗板４を挿入する。
【００４４】この際、抵抗板４の径は穿孔した孔１２の径と略同一形状であるために、抵抗板４を支線棒３に対して傾斜状態で孔１２に挿入し底部分で抵抗板４を支線棒３に対して水平にすることで、孔１２の側面に強く密着した状態で設置することができる。
【００４５】このように、抵抗板４の設置作業の工程が従来に比し簡略化され、簡易に行なえる。
【００４６】その後、前記抵抗板４に後端側を取り付けた支線棒３の長さを、穿孔した孔１２の深さに対応すべく調整する。該調整方法は、複数本の支線棒３を連結して孔１２の深さに対応する。
【００４７】この状態で孔１２を埋設し、支線棒３の先端側を突出し、連結部２を地中上に位置させる。
【００４８】そして、前記支線棒３の連結部２に支線１１の他端側を連結し、支柱用の支線アンカー１の敷設を完了する。
【００４９】このように、本発明の支柱用の支線アンカー１、及び支柱用の支線アンカーの敷設方法は、構成が簡易であり、頻繁なメンテナンスを必要としない。
【００５０】また、抵抗板４の固定が容易であり、従来のような打撃作業を必要としなく、作業工程の削減、及び作業時間の短縮を行うことができる。
【００５１】さらに、支柱の大きさ、支柱の張力の強さに応じて自在に穿孔する孔の深さ、径を調整することができ、あらゆる支柱に対応することができる。
【００５２】尚、上記実施例では抵抗板４を略円形状に形成したが、本発明の抵抗板４の形状はこれに限定するものでなく、例えば、円形状の側面に複数の突起部分４Ａを形成し孔１２の側壁に強く係止すべく形成することも可能である。
【図面の簡単な説明】
【００５３】
【図１】本発明の支柱用の支線アンカーを示す概略説明側面図
【図２】図１の抵抗板を示す概略説明平面図
【図３】支柱への支線アンカーの連結を示す概略説明側面図
【図４】孔への支線アンカーの設置を示す概略説明側面図
【図５】孔への支線アンカーの設置を示す概略説明側面図
【図６】抵抗板の他実施例を示す概略説明平面図
【図７】本発明の支柱用の支線アンカーの敷設方法を示すフローチャート
【符号の説明】
【００５４】１−支柱用の支線アンカー、３−支線棒、４−抵抗板、１０−支柱
【図１】
2014139394.tif 000003
【図２】
2014139394.tif 000004
【図３】
2014139394.tif 000005
【図４】
2014139394.tif 000006
【図５】
2014139394.tif 000007
【図６】
2014139394.tif 000008
【図７】
2014139394.tif 000009
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
ネット等を吊り張りする支柱のうち端部の支柱に設けられた支線を連結する先端側を残して地中に埋設する支線棒と、該支線棒の後端側に取り付け支線棒の地中からの抜脱を阻止する抵抗板から構成された支柱用の支線アンカーにおいて、前記抵抗板が地中に穿孔する孔の径に対応した同径の略円形状で側面に複数の突起部分が形成され、且つ支線棒に遊嵌状態で取り付け、しかも前記支線棒が埋設する孔の穿孔深さに応じて長尺状で複数本連結可能に構成されていることを特徴とする支柱用の支線アンカー。
【請求項２】
ネット等を吊り張りする端部の支柱を補強すべく、地中に孔を穿孔し、該孔の底部分に抵抗板を設置した後、前記孔を埋設し抵抗板に後端側を取り付け、先端側を地中より突出した支線棒に支柱に設けられた支線を連結する支柱用の支線アンカーの敷設方法において、前記孔を支柱の大きさに応じた深さで円筒型状に穿孔し、前記抵抗板を孔の径に対応して略円形状に形成し傾斜した状態で孔に挿入し、側面の突起部分を側壁に係止し孔の底部分に位置させるとともに、前記支線棒を孔の深さに応じて長さ調整することを特徴とする支柱用の支線アンカーの敷設方法。
【手続補正２】
【補正対象書類名】明細書
【補正対象項目名】００１１
【補正方法】変更
【補正の内容】
【００１１】本発明は、上記課題を解決するための支柱用の支線アンカーは、請求項１に記載のように、ネット等を吊り張りする支柱のうち端部の支柱に設けられた支線を連結する先端側を残して地中に埋設する支線棒と該支線棒の後端側に取り付け、支線棒の地中からの抜脱を阻止する抵抗板から構成された支柱用の支線アンカーにおいて、前記抵抗板が地中に穿孔する孔の径に対応した同径の略円形状で側面に複数の突起部分が形成され、且つ支線棒に遊嵌状態で取り付け、しかも前記支線棒が埋設する孔の穿孔深さに応じて長尺状で複数本連結可能に構成されていることを特徴とする。
【手続補正３】
【補正対象書類名】明細書
【補正対象項目名】００１２
【補正方法】変更
【補正の内容】
【００１２】また、上記課題を解決するための支柱用の支線アンカーの敷設方法は、請求項２に記載のように、ネット等を吊り張りする端部の支柱を補強すべく、地中に孔を穿孔し、該孔の底部分に抵抗板を設置した後、前記孔を埋設し抵抗板に後端側を取り付け先端側を地中より突出した支線棒に支柱に設けられた支線を連結する支柱用の支線アンカーの敷設方法において、前記孔を支柱の大きさに応じて円筒型状に穿孔し、前記抵抗板を孔の径に対応して略円形状に形成し傾斜した状態で孔に挿入し、側面の突起部分を側壁に係止し、孔の底部分に位置させるとともに、前記支線棒を孔の深さに応じて長さ調整することを特徴とする。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
ネット等を吊り張りする支柱のうち端部の支柱に設けられた支線を連結する先端側を残して地中に埋設する支線棒と、該支線棒の後端側に取り付け支線棒の地中からの抜脱を阻止する抵抗板から構成された支柱用の支線アンカーにおいて、前記抵抗板は、中に穿孔する孔の径に対応した同径の略円形状で、側面に複数の突起部分を形成し、且つ抵抗板を傾斜した状態で孔に挿入すべく支線棒に遊嵌状態に取り付けられるように、穿孔する径に対応して選択できる径の相違する複数枚より構成され、しかも前記支線棒が埋設する孔の穿孔深さに応じて長尺状で複数本連結可能に構成されていることを特徴とする支線用の支線アンカー。
【請求項２】
ネット等を吊り張りする端部の支柱を補強すべく、地中に孔を穿孔し、該孔の底部分に抵抗板を設置した後、前記孔を埋設し抵抗板に後端側を取り付け、先端側を地中より突出した支線棒に支柱に設けられた支線を連結する支柱用の支線アンカーの敷設方法において、前記孔を支柱の大きさに応じた深さで円筒形状に穿孔し、前記径に対応した径の相違する複数枚の抵抗板より選択した抵抗板を孔の径に対応して略円形状に形成し支線棒に対して傾斜した状態で孔に挿入し、底部分で側面の突起部分を側壁に係止し孔の底部分に水平に位置させるとともに、前記支線棒を孔の深さに応じて長さ調整することを特徴とする支柱用の支線アンカーの敷設方法。
【手続補正２】
【補正対象書類名】明細書
【補正対象項目名】００１１
【補正方法】変更
【補正の内容】
【００１１】本発明は、上記課題を解決するための支柱用の支線アンカーは、請求項１に記載のように、ネット等を吊り張りする支柱のうち端部の支柱に設けられた支線を連結し、先端側を残して地中に埋設する支線棒と、該支線棒の後端側に取り付け、支線棒の地中からの抜脱を阻止する抵抗板から構成された支柱用の支線アンカーにおいて、前記抵抗板は、地中に穿孔する孔の径に対応した同径の略円形状で、側面に複数の突起部分を形成し、且つ抵抗板を傾斜した状態で孔に挿入すべく支線棒に遊嵌状態で取り付けられるように、穿孔する径に対応して選択できる径の相違する複数枚より構成され、しかも前記支線棒が埋設する孔の穿孔深さに応じて長尺状で複数本連結可能に構成されていることを特徴とする。
【手続補正３】
【補正対象書類名】明細書
【補正対象項目名】００１２
【補正方法】変更
【補正の内容】
【００１２】また、上記課題を解決するための支柱用の支線アンカーの敷設方法は、請求項２に記載のように、ネット等を吊り張りする端部の支柱を補強すべく、地中に孔を穿孔し、該孔の底部分に抵抗板を設置した後、前記孔を埋設し抵抗板に後端側を取り付け先端側を地中より突出した支線棒に支柱に設けられた支線を連結する支柱用の支線アンカーの敷設方法において、前記孔を支柱の大きさに応じて円筒形状に穿孔し、前記径に対応した径の相違する複数枚の抵抗板より選択した抵抗板を孔の径に対応して略円形状に形成し支線棒に対し傾斜した状態で孔に挿入し、底部分で側面の突起部分を側壁に係止し、孔の底部分に水平に位置させるとともに、前記支線棒を孔の深さに応じて長さ調整することを特徴とする。